(57)【要約】【課題】簡易な構成で、印刷配線基板Ｂと製品筐体や他の基板との間のグランド接続を安価かつ容易に行わせ、かつロック部材の抜止め機能を向上させることを可能とする。【解決手段】絶縁ハウジング１０の内部に挿入した信号伝送媒体Ｆの抜止めを行うロック部材に、製品筐体または他の基板Ｃのグランド配線部に当接可能なグランド接触片１４ｅを一体的に形成し、製品筐体または他の基板Ｃを印刷配線基板Ｂに組付けた際に、電気コネクタ１０が備えているロック部材１４のグランド接触片１４ｅを介して信号伝送媒体Ｆの抜止め方向にロック部材１４を移動させ、従来のような別個のグランド接続部材を介在させることなく製品筐体または他の基板Ｃを印刷配線基板Ｂにグランド接続し、両部材間のグランド接続を安価かつ容易に行うとともに、ロック部材１４による信号伝送媒体Ｆの係止作用を高める構成としたものである。【選択図】図５
2013134870.tif 000002
【特許請求の範囲】
【請求項１】
製品筐体内に配置される印刷配線基板上に実装されて使用され、前記印刷配線基板と、当該印刷配線基板に対向配置される前記製品筐体または他の基板との間に配置されるものであって、
絶縁ハウジングの内部に挿入された信号伝送媒体の抜止めを行うロック部材を備えた電気コネクタにおいて、
前記ロック部材には、前記製品筐体または他の基板に形成されたグランド配線部に当接可能な接点部を有するグランド接触片が一体的に形成され、
前記グランド接触片が、前記製品筐体または他の基板に当接して押圧されることによって前記ロック部材が前記信号伝送媒体の抜止めを行う方向に移動されるように構成されていることを特徴とする電気コネクタ。
【請求項２】
前記ロック部材のグランド接触片は、前記絶縁ハウジングから前記製品筐体または他の基板に向かって突出するように設けられていることを特徴とする請求項１記載の電気コネクタ。
【請求項３】
前記ロック部材が、前記絶縁ハウジングに移動自在に設けられたアクチュエータの操作によって、前記信号伝送媒体の抜止めを行う方向に移動されるように構成されていることを特徴とする請求項１記載の電気コネクタ。
【発明の詳細な説明】
【技術分野】
【０００１】
本発明は、印刷配線基板と、それに対向配置される製品筐体または他の基板との間に配置されるように構成された電気コネクタに関する。
【背景技術】
【０００２】
一般に、種々の電気機器等において用いられている印刷配線基板には、フレキシブル・プリンテッド・サーキット（ＦＰＣ）や、フレキシブル・フラット・ケーブル（ＦＦＣ）等の各種信号伝送媒体を、印刷配線基板に電気的に接続するための電気コネクタが実装されて使用されることがしばしば行われている。例えば、下記の特許文献１に記載されている電気コネクタにおいては、印刷配線基板上に実装された電気コネクタの前端側の媒体挿入口から、ＦＰＣやＦＦＣ等からなる信号伝送媒体が内部に向かって挿入され、その後、媒体固定操作手段としてのアクチュエータが閉塞位置に向かって倒されるように回動操作されることにより、導電コンタクトが弾性変位して信号伝送媒体に圧接されて電気的な接続が行われるようになっている。
【０００３】
一方、上述した印刷配線基板や、電気機器のカバー等からなる製品筐体には、電子回路を構成する配線パターンが形成されているが、それらの印刷配線基板同士や、印刷配線基板と製品筐体とを連結させるように組立てを行うにあたって、例えば図１３に示されているように、印刷配線基板１に取り付けられたグランド接続部材２を介してグランド回路が構成されることがある。そのグランド接続部材２に設けられた接点部２ａには、例えば図１４に示されているような製品筐体や他の印刷配線基板（以下、「製品筐体等」という。）３に形成されたグランド配線部が接触するように配置される。
【０００４】
このように従来においては、印刷配線基板１と、当該印刷配線基板１に対向配置される製品筐体等３との間にグランド接続部材２を介在させ、それによって印刷配線基板１と製品筐体等３とをグランド接続することが行われているが、そこに使用されているグランド接続部材２は、製品筐体等３や電気コネクタとは別個に製造して準備しておく必要があるため、部品点数の増大を招来することとなって生産性向上の観点からは好ましくない。また、印刷配線基板１に製品筐体等３を連結させるように組立てを行う場合には、それら両部材１，３同士の間にグランド接続部材２を介在させる際に生じる当該グランド接続部材２の弾性反発力によって、印刷配線基板２から製品筐体等３が離反する方向に浮き上がってしまい、組立て効率を低下させるおそれもある。
【先行技術文献】
【特許文献】
【０００５】
【特許文献１】特開２００８−２７７０６８号公報
【発明の概要】
【発明が解決しようとする課題】
【０００６】
そこで本発明は、簡易な構成で、印刷配線基板と製品筐体や他の基板との間のグランド接続を安価かつ容易に行わせるとともに、ロック部材の抜止め機能を向上させることができるようにした電気コネクタを提供することを目的とする。
【課題を解決するための手段】
【０００７】
上記目的を達成するため本発明では、製品筐体内に配置される印刷配線基板上に実装されて使用され、前記印刷配線基板と、当該印刷配線基板に対向配置される前記製品筐体または他の基板との間に配置されるものであって、絶縁ハウジングの内部に挿入された信号伝送媒体の抜止めを行うロック部材を備えた電気コネクタにおいて、前記ロック部材には、前記製品筐体または他の基板に形成されたグランド配線部に当接可能な接点部を有するグランド接触片が一体的に形成され、前記グランド接触片が、前記製品筐体または他の基板に当接して押圧されることによって前記ロック部材が前記信号伝送媒体の抜止めを行う方向に移動される構成になされている。
【０００８】
このような構成を有する本発明によれば、製品筐体または他の基板が印刷配線基板に組み付けられる際に、電気コネクタが備えているロック部材のグランド接触片を介して、製品筐体または他の基板が印刷配線基板にグランド接続され、従来のような別個のグランド接続部材が不要となることから、製品筐体や他の印刷配線基板と印刷配線基板との間のグランド接続が安価かつ容易に行われるとともに、印刷配線基板に対して製品筐体や他の印刷配線基板が組み付けられた際に、ロック部材が信号伝送媒体の抜止めを行う方向に移動されるため、当該ロック部材による信号伝送媒体の係止作用が高められるようになっている。
【０００９】
また、本発明におけるロック部材のグランド接触片は、前記絶縁ハウジングから前記製品筐体または他の基板に向かって突出するように設けられていることが望ましい。
【００１０】
このような構成を有する本発明によれば、電気コネクタが備えているロック部材のグランド接触片に対して、製品筐体や他の基板が確実に接触される。
【００１１】
また、本発明においては、前記ロック部材が、前記絶縁ハウジングに移動自在に設けられたアクチュエータの操作によって、前記信号伝送媒体の抜止めを行う位置まで移動される構成になされていることが望ましい。
【００１２】
このような構成を有する本発明によれば、アクチュエータの操作後において、ロック部材が信号伝送媒体の抜止めを行う方向に更に移動されるため、当該ロック部材による信号伝送媒体の係止作用が一層、高められる。
【発明の効果】
【００１３】
以上述べたように本発明にかかる電気コネクタは、絶縁ハウジングの内部に挿入した信号伝送媒体の抜止めを行うロック部材に、製品筐体または他の基板のグランド配線部に当接可能なグランド接触片を一体的に形成し、製品筐体または他の基板を印刷配線基板に組付けた際に、電気コネクタが備えているロック部材のグランド接触片を介して信号伝送媒体の抜止め方向にロック部材を移動させ、従来のような別個のグランド接続部材を介在させることなく製品筐体または他の基板を印刷配線基板にグランド接続し、両部材間のグランド接続を安価かつ容易に行うとともに、ロック部材による信号伝送媒体の係止作用を高める構成としたものであるから、簡易な構成で、印刷配線基板と製品筐体や他の基板との間のグランド接続を安価かつ容易に行わせ、かつロック部材の抜止め機能を向上させることができることから、電気コネクタの信頼性を低廉かつ大幅に向上させることができる。
【図面の簡単な説明】
【００１４】
【図１】本発明の第１の実施形態にかかる電気コネクタにおいて、アクチュエータを解除位置に立ち上げて信号伝送媒体（ＦＰＣ）を挿入しようとする直前の状態を正面側から表した外観斜視説明図である。
【図２】図１の状態から信号伝送媒体を挿入してアクチュエータを挟持位置に押し倒した状態を正面側から表した外観斜視説明図である。
【図３】図１に表された電気コネクタにおけるロック部材の近傍位置の横断面説明図である。
【図４】図３に表された状態から信号伝送媒体を挿入してアクチュエータを挟持位置に押し倒した状態における図３相当の横断面説明図である。
【図５】図４に表された状態から製品筐体または他の印刷配線基板を組み付けた状態における図３相当の横断面説明図である。
【図６】図１に表された電気コネクタにおける導電コンタクトの近傍位置の横断面説明図である。
【図７】本発明の第２の実施形態にかかる電気コネクタにおいて、アクチュエータを解除位置に立ち上げて信号伝送媒体（ＦＰＣ）を挿入しようとする直前の状態を正面側から表した外観斜視説明図である。
【図８】図７の状態から信号伝送媒体を挿入してアクチュエータを挟持位置に押し倒した状態を正面側から表した外観斜視説明図である。
【図９】図７に表された電気コネクタにおけるロック部材の近傍位置の横断面説明図である。
【図１０】図９に表された状態から信号伝送媒体を挿入してアクチュエータを挟持位置に押し倒した状態における図９相当の横断面説明図である。
【図１１】図１０に表された状態から製品筐体または他の印刷配線基板を組み付けた状態における図９相当の横断面説明図である。
【図１２】図９に表された電気コネクタにおける導電コンタクトの近傍位置の横断面説明図である。
【図１３】印刷配線基板同士や、印刷配線基板と製品筐体とを連結させるように組立てを行うにあたって一般に用いられているグランド接続部材の一例を表した外観斜視説明図である。
【図１４】図１３に表されたグランド接続部材に対して製品筐体や他の印刷配線基板を接触させるように組み付けた状態を断面で表した外観斜視説明図である。
【発明を実施するための形態】
【００１５】
以下、本発明の実施の形態を図面に基づいて詳細に説明するが、本発明にかかる電気コネクタは、製品筐体内に配置される印刷配線基板上に実装されて使用されるものであり、印刷配線基板と、当該印刷配線基板に対向配置される製品筐体または他の基板との間に配置される。
【００１６】
［コネクタ全体構造について］
まず、図１〜図６に示された第１の実施形態にかかる電気コネクタ１０は、細長状に延在する絶縁性部材からなる絶縁ハウジング（インシュレータ）１１を備えている。この絶縁ハウジング１１は、細長状をなす薄厚中空の筐体から形成されており、対向する長手側の両端縁部分の一方側（図６の左端側）には、フレキシブル・プリンテッド・サーキット（ＦＰＣ）やフレキシブル・フラット・ケーブル（ＦＦＣ）等からなる信号伝送媒体Ｆが挿入される媒体挿入口１１ａが、横細長の開口形状を有するようにして設けられている。また、その媒体挿入口１１ａとは反対側の他端側（図６の右端側）には、後述する導電コンタクト１２、媒体固定操作手段としてのアクチュエータ１３を装着するための部品取付口１１ｂが設けられている。
【００１７】
以下において、絶縁ハウジング１１の長手方向に相当する方向を「コネクタ長手方向」と呼び、媒体挿入口１１ａ及び部品取付口１１ｂが設けられている側の各方向を「コネクタ前方」及び「コネクタ後方」と呼ぶこととする。
【００１８】
［導電コンタクトについて］
そして、上述した絶縁ハウジング１１の内部には、略Ｈ字形状を横向きにした側面形状を有する薄板状金属製部材からなる複数体の導電コンタクト１２が挿入されている。導電コンタクト１２は、絶縁ハウジング１１の横幅方向（コネクタ長手方向）に沿って適宜の間隔をなして多極状に配列されており、同一形状のものが並列して配置され、又は異なる形状のものが交互に配置されている。これらの各導電コンタクト１２は、信号伝送用又はシールド用のいずれかとして用いられており、後述するように各導電コンタクト１２の一端部分（図６の右端部分又は左端部分）が、印刷配線基板Ｂ上に実装されて使用されるようになっている。
【００１９】
このような導電コンタクト１２の各々は、上述したようにコネクタ後端側に設けられた部品取付口１１ｂからコネクタ前方側（図６の左方側）に向かって押し込むようにして装着されており、信号伝送媒体（ＦＰＣ又はＦＦＣ等）Ｆの表面又は裏面に形成された信号伝送用導電路（信号線）又はシールド用導電路（シールド線）のいずれかに対応した位置に当該導電コンタクト１２のそれぞれが配置されている。これらの各導電コンタクト１２は、信号伝送媒体Ｆの挿抜方向（図６の左右方向）に沿って延在する一対の細長状ビーム部材からなる可動コンタクトビーム１２ａ及び固定コンタクトビーム１２ｂをそれぞれ有している。
【００２０】
それらの可動コンタクトビーム１２ａ及び固定コンタクトビーム１２ｂは、上述した絶縁ハウジング１１の内部空間において図示上下方向に適宜の間隔をなして互いに対向した状態に配置されており、コネクタ前後方向（図６の左右方向）に延在している。そのうちの固定コンタクトビーム１２ｂは、前記絶縁ハウジング１１の底部内壁面に沿って延在するように配置されていて、当該絶縁ハウジング１１の内部で略不動状態となるように固定されている。
【００２１】
その固定コンタクトビーム１２ｂには、コネクタ前後延在方向（図６の左右方向）の略中央部分において略鉛直方向（図６の上下方向）に延在する細幅板状の連結支柱部１２ｃが一体的に連結されている。そして、その連結支柱部１２ｃの上端部分には、上述した可動コンタクトビーム１２ａがコネクタ前後方向（図６の左右方向）に延在するように一体的に連結されている。この可動コンタクトビーム１２ａは、連結支柱部１２ｃ又はその近傍を中心として回動するように弾性変形し、それによって固定コンタクトビーム１２ｂに対して可動コンタクトビーム１２ａが弾性的な可撓性を有する構成になされている。これらの各可動コンタクトビーム１２ａの回動するような弾性変形は、図６の紙面を含む平面内において行われ、当該可動コンタクトビーム１２ａの延在方向における両端部分が図示上下方向に弾性変位される構成になされている。
【００２２】
さらに、上述した可動コンタクトビーム１２ａの前端部分（図６の左端側部分）には、信号伝送媒体（ＦＰＣ又はＦＦＣ等）Ｆの図示上面側に形成された信号伝送用又はシールド用の導電路（図示省略）のいずれかに接続される接点部として端子接触凸部１２ａ１が図示下向きの突形状をなすように設けられている。そして、この可動コンタクトビーム１２ａに設けられた端子接触凸部１２ａ１と、その直下位置に対面するように配置された固定コンタクトビーム１２ｂどうしの間に、前記信号伝送媒体Ｆが挟持されるようになっている。
【００２３】
このとき、可動コンタクトビーム１２ａの端子接触凸部１２ａ１に対応して、固定コンタクトビーム１２ｂ側にも、信号伝送媒体（ＦＰＣ又はＦＦＣ等）Ｆの図示下面側に形成された信号伝送用又はシールド用の導電路（図示省略）のいずれかに接続される端子接触凸部を図示上向きの突形状をなすように設けることも可能である。また、それらの端子接触凸部同士は、互いの位置をコネクタ前方側（図示左方側）或いはコネクタ後方側（図示右方側）にずらして配置することも可能である。さらに、本実施形態における固定コンタクトビーム１２ｂは、基本的に不動状態となるように固定されているが、信号伝送媒体（ＦＰＣ又はＦＦＣ等）Ｆの挿入を容易化する等の目的で、例えば当該固定コンタクトビーム１２ｂの前端部分が絶縁ハウジング１１の底壁面から僅かに浮き上がるように形成して弾性変位可能となるように構成することも可能である。
【００２４】
このような固定コンタクトビーム１２ｂのコネクタ後端側部分（図６の右端側部分）には、上述した印刷配線基板Ｂ上に形成された導電路（図示省略）に半田接続される基板接続端子部１２ｂ１が形成されていて、当該基板接続端子部１２ｂ１を介して印刷配線基板Ｂに対する電気的接続が行われるようになっている。
【００２５】
さらに、その固定コンタクトビーム１２ｂには、上述した基板接続端子部１２ｂ１の上方側部分に、側面視において下方側に略円弧状に窪むように形成されたカム受け部１２ｂ２が設けられており、そのカム受け部１２ｂ２の略円弧状の窪み部分に、絶縁ハウジング１１の後端部分に装着されたアクチュエータ１３の押圧カム部１３ａが、図示上方側から滑動自在に当接するように配置されている。また、そのアクチュエータ１３の押圧カム部１３ａの上方側には、可動コンタクトビーム１２ａのコネクタ後端部分が圧接状態で当接されている。
【００２６】
［アクチュエータについて］
上述したアクチュエータ１３は、絶縁ハウジング１１のコネクタ後方側の端縁部分（図６の右端部分）に回動自在に取り付けられており、当該アクチュエータ１３が、立設状態にある初期状態（非操作状態）からコネクタ後方側（図６の右方側）に向かって押し倒されるように回動操作されることによって、導電コンタクト１２が信号伝送媒体（ＦＰＣ又はＦＦＣ等）Ｆに対して電気的に接続されるように構成されている。
【００２７】
より具体的には、媒体固定操作手段としてのアクチュエータ１３は、全体が略板状の部材から形成されており、上述した絶縁ハウジング１１のコネクタ後端部分（図６の右端部分）にコネクタ長手方向に沿って細長状に延在する回動操作部１３ｂを有している。そして、このアクチュエータ１３の回動操作部１３ｂに対して組立作業者が適宜の回動操作力を付与することによって、アクチュエータ１３の全体が前記回動軸を中心とした回動操作が行われ、図１，図３，図５及び図６のように上方側に立ち上げられた状態の「解放位置」と、図２，図４及び図５のようにコネクタ後方側に向かって略水平に倒された状態の「挟持位置」との間で回動されるようになっている。
【００２８】
そのアクチュエータ（接続操作手段）１３の回動中心部分に設けられた押圧カム部１３ａは、横断面略楕円形状をなすように形成されており、その楕円形状における長軸の両端部に相当する位置に所定のカム面が形成されている。そして、上述したようにアクチュエータ１３が、「解除位置」（図１参照）から「挟持位置」（図２参照）に向かってコネクタ後方側に押し倒す回動操作が行われる際に、押圧カム部１３ａの回転半径が、前述した固定コンタクトビーム１２ｂと可動コンタクトビーム１２ａとの間において増大する方向に変化し、その押圧カム部１３ａの径変化に従って可動コンタクトビーム１２ａのコネクタ後端側に設けられた被作動部１２ａ２が図示上方側に持ち上げられるように変位し、それに伴って、コネクタ前端側に設けられた端子接触凸部１２ａ１が下方に押し下げられていく構成になされている。
【００２９】
そしてまず、アクチュエータ１３が「解除位置」にある初期状態（非操作状態）において、図１に示されているように絶縁ハウジング１１の前方側部分に信号伝送媒体（ＦＰＣ又はＦＦＣ等）Ｆが対面するように配置され、その信号伝送媒体Ｆが絶縁ハウジング１１の内部に挿入された後に、図２に示されているようにアクチュエータ１３がコネクタ後方側に向かって傾倒されるように回動される。このようにしてアクチュエータ１３が最終の回動位置である「挟持位置」の直前まで回動されてきたときに上述した押圧カム部１３ａの回転半径は最大となり、その最大半径位置からさらに微小角度だけ回動した位置である「挟持位置」において、信号伝送媒体Ｆの表面に形成された信号伝送用及びグランド用の導電路（図示省略）に対して、上述した可動コンタクトビーム１２ａの端子接触凸部１２ａ１が圧接され、それによって電気的な接続が行われるようになっている。
【００３０】
［ロック部材について］
一方、絶縁ハウジング１１におけるコネクタ長手方向の両端部分、すなわち上述した導電コンタクト１２の両側外方部分には、当該絶縁ハウジング１１の内部に挿入された信号伝送媒体（ＦＰＣ又はＦＦＣ等）Ｆの抜止めを行う一対のロック部材１４，１４が、コネクタ前端側から後方側（図３の右方側）に向かって押し込むようにして装着されている。これらの各ロック部材１４も、信号伝送媒体Ｆの挿入方向（図６の右方向）に沿って延在する一対の細長状ビーム部材からなる可動ロックビーム１４ａ及び固定ロックビーム１４ｂをそれぞれ有している。
【００３１】
このロック部材１４を構成している可動ロックビーム１４ａ及び固定ロックビーム１４ｂは、絶縁ハウジング１１の内部空間において図示上下方向に適宜の間隔をなして互いに対向した状態に配置されており、コネクタ前後方向（図３の左右方向）に延在するように配置されている。そのうちの固定ロックビーム１４ｂは、絶縁ハウジング１１の底部内壁面に沿って延在するように配置されていて、当該絶縁ハウジング１１の内部で略不動状態となるように固定されている。
【００３２】
本実施形態におけるロック部材１４は、後述するようにグランド接続部材を兼用する構成になされており、当該固定ロックビーム１４ｂのコネクタ前端側部分（図３の左端側部分）には、上述した印刷配線基板Ｂ上に形成されたグランド導電路（図示省略）に半田接続される基板接続端子部１４ｂ１が形成されていて、当該基板接続端子部１４ｂ１を介して印刷配線基板Ｂに対するグランド接続が行われるようになっている。
【００３３】
そのような固定ロックビーム１４ｂには、コネクタ前後延在方向（図３の左右方向）の略中央部分において略鉛直方向（図３の上下方向）に延在する細幅板状の連結支柱部１４ｃが一体的に連結されている。そして、その連結支柱部１４ｃの上端部分には、上述した可動ロックビーム１４ａが一体的に連結されており、その連結支柱部１４ｃとの連結部分からコネクタ前方側（図３の左方側）に向かって、可動ロックビーム１４ａが片持ち状をなして略水平に延出する構成になされている。
【００３４】
従って、その可動ロックビーム１４ａは、連結支柱部１４ｃの上端部分又はその近傍を中心として回動するように弾性変形する構成になされており、上述した固定ロックビーム１４ｂに対して可動ロックビーム１４ａが弾性的な可撓性を有している。この可動ロックビーム１４ａの回動は、図３の紙面を含む平面内において行われ、当該可動ロックビーム１４ａの延在方向における先端部分（図３の左端部分）が、図示上下方向に弾性変位される構成になされている。
【００３５】
一方、固定ロックビーム１４ｂのコネクタ後端部分（図３の右端側部分）には、前述したアクチュエータ１３の押圧カム部１３ａを滑動自在に受けるカム受け部１４ｂ２が、側面視において下方側に略円弧状に窪むように形成されており、そのカム受け部１４ｂ２の略円弧状の窪み部分に、前述したアクチュエータ１３の押圧カム部１３ａが、図示上方側から滑動自在に当接するように配置されている。アクチュエータ１３及び押圧カム部１３ａは、前述したものと同様であるので説明を省略するが、そのアクチュエータ１３の操作と、ロック部材１４の動作とは互いに独立して別個に行われる。
【００３６】
さらに、上述した可動ロックビーム１４ａのコネクタ前端部分（図３の左端側部分）には、信号伝送媒体（ＦＰＣ又はＦＦＣ等）Ｆに係合する係止ロック部１４ｄが設けられている。そのロック部材１４側に設けられた係止ロック部１４ｄに対応して、信号伝送媒体Ｆの端末部分には、特に図１に示されているように、当該信号伝送媒体Ｆの幅方向（コネクタ長手方向）両側の端縁部分に、切り欠き状の凹部からなる係合位置決め部Ｆａ，Ｆａが形成されている。そして、この信号伝送媒体Ｆに設けられた係合位置決め部Ｆａ，Ｆａに対応して、電気コネクタ１０側に上述した係止ロック部１４ｄ，１４ｄが設けられており、その係止ロック部１４ｄ，１４ｄの係止作用（ロック作用）によって、信号伝送媒体Ｆの挿入状態が保持される構成になされている。
【００３７】
上述した各ロック部材１４に設けられた係止ロック部１４ｄは、側面略三角形状をなすフック状部材から形成されており、当該係止ロック部１４ｄの前端部（図３の左端部）から後方（図３の右方）に向かって斜め下方に傾斜して延びる傾斜案内辺１４ｄ１を備えている。この傾斜案内辺１４ｄ１は、電気コネクタ１０の内部に信号伝送媒体（ＦＰＣ又はＦＦＣ等）Ｆが差し込まれた際のガイド機能を有するものである。
【００３８】
すなわち、信号伝送媒体（ＦＰＣ又はＦＦＣ等）Ｆの挿入に伴って当該信号伝送媒体Ｆの端末先端縁が係止ロック部１４ｄに当接すると、上述した傾斜案内辺１４ｄ１の案内作用によって、係止ロック部１４ｄが、可動ロックビーム１４ａの弾性力に抗して上方に持ち上げられるように信号伝送媒体Ｆの表面上に乗り上げる。更に、信号伝送媒体Ｆがコネクタ奥側（図３の右方側）に向かって押し込まれ、図４に示されているように、当該信号伝送媒体Ｆに設けられた係合位置決め部Ｆａが係止ロック部１４ｄの直下位置に配置されたときに、可動ロックビーム１４ａの弾性復元力によって係止ロック部１４ｄが信号伝送媒体Ｆの係合位置決め部Ｆａの内部に向かって落ち込むように下方移動する。
【００３９】
このときの係止ロック部１４ｄは、信号伝送媒体（ＦＰＣ又はＦＦＣ等）Ｆに設けられた係合位置決め部Ｆａに対して完全に落ち込まないで半係合の状態となるが、後述するように印刷配線基板Ｂに対して製品筐体または他の基板が組み付けられることによって、係止ロック部１４ｄが更に下降し、係合位置決め部Ｆａに対して十分な係合状態（ロック状態）となる位置、すなわち信号伝送媒体Ｆの抜止めを行う位置まで係止ロック部１４ｄが移行されるようになっている。
【００４０】
その点を具体的に説明すると、上述したロック部材１４が設けられている可動ロックビーム１４ａには、係止ロック部１４ｄの上方位置に相当する部位にグランド接触片１４ｅが一体的に設けられている。そのグランド接触片１４ｅは、可動ロックビーム１４ａの前端部分（図３の左端部分）から上方に向かって略山形状をなして突出するように形成されている。このグランド接触片１４ｅは、後述する製品筐体または他の基板の組付けが行われていない未組立状態にある電気コネクタ１０の単体（図３及び図４参照）において、絶縁ハウジング１１の上側表面から当該グランド接触片１４ｅの山形状頂部が上方に突出して外方に露出する構成になされている。そして、このグランド接触片１４ｅの頂部には、グランド接点部１４ｅ１が形成されており、当該グランド接点部１４ｅ１が、後述する製品筐体または他の基板に形成されたグランド配線部に対して接触可能となる構成になされている。
【００４１】
すなわち、前述したように本実施形態にかかる電気コネクタ１０は、印刷配線基板Ｂ上に実装されて使用されるものであるが、その印刷配線基板Ｂに対しては、図５に示されているように、当該印刷配線基板Ｂの上方に対向配置されるようにして製品筐体または他の基板（以下、製品筐体等と呼ぶ。）Ｃが組み付けられ、それらの印刷配線基板Ｂと製品筐体等Ｃとの間に、本実施形態にかかる電気コネクタ１０が配置されるようになっている。このように製品筐体等Ｃは、印刷配線基板Ｂ上に実装された電気コネクタ１０の上方位置に対向配置され、その後に下方に向かって押し付けられるようにして組付けが行われることとなる。
【００４２】
このようにして製品筐体等Ｃが、下方の電気コネクタ１０に向かって押し付けられるように組付けが開始されると、当該製品筐体等Ｃに設けられたグランド配線部（図示省略）が、上述したグランド接触片１４ｅのグランド接点部１４ｅ１に対して上方側から当接する構成になされている。そのようなグランド接触片１４ｅと接触した状態で製品筐体等Ｃが下方に押し下げられていくと、それに伴って、上述した係止ロック部１４ｄも可動ロックビーム１４ａの弾性に抗して下降していくこととなる。そして、図５に示されているように、製品筐体等Ｃが完全に押し下げられて最終的な組付けが完了されると、信号伝送媒体（ＦＰＣ又はＦＦＣ等）Ｆに設けられた係合位置決め部Ｆａの内部に、係止ロック部１４ｄが完全に没入し、係合状態となる位置、つまり信号伝送媒体Ｆの抜止めを行う位置まで係止ロック部１４ｄが下方に移動することとなる。
【００４３】
このような構成を有する本実施形態によれば、製品筐体または他の基板からなる製品筐体等Ｃが印刷配線基板Ｂに組付けられる際に、電気コネクタ１０が備えているロック部材１４のグランド接触片１４ｅを介して、製品筐体等Ｃのグランド配線部が印刷配線基板Ｂにグランド接続されることとなり、従来のような別個のグランド接続部材が不要となる。従って、製品筐体等Ｃと印刷配線基板Ｂとの間のグランド接続が、安価かつ容易に行われる。また、印刷配線基板Ｂに対して製品筐体等Ｃが組み付けられた際に、ロック部材１４が、信号伝送媒体（ＦＰＣ又はＦＦＣ等）Ｆの抜止めを行う方向に移動されるため、当該ロック部材１４による信号伝送媒体Ｆの係止作用が高められるようになっている。
【００４４】
特に、本実施形態においては、ロック部材１４のグランド接触片１４ｅが、絶縁ハウジング１１から製品筐体または他の基板からなる製品筐体等Ｃに向かって突出するように設けられていることから、グランド接触片１４ｅに設けられたグランド接点部１４ｅ１に対して製品筐体等Ｃが確実に接触される。
【００４５】
一方、上述した第１の実施形態と同一の構成部材に対して同一の符号を付した図７〜図１２に表された第２の実施形態においては、可動ロックビーム１４ａが、連結支柱部１４ｃからコネクタ後方側に向かって延出する形状になされている。その可動ロックビーム１４ａの後端側部分（図１１の右端側部分）には、側面視において下方に向かって略半円状に張り出すように形成されたカム受け部１４ａ１が形成されている。このカム受け部１４ａ１の下縁部は、上方側に向かって略円弧状に窪むように形成されており、そのカム受け部１４ａ１により形成された窪み部分と、固定ロックビーム１４ｂの後端部分に設けられたカム受け部１４ｂ２の窪み部分との間に、前述したアクチュエータ１３の押圧カム部１３ａが回動自在に当接するように配置されている。
【００４６】
アクチュエータ１３及び押圧カム部１３ａは、前述したものと同様であるので説明を省略するが、当該アクチュエータ１３が、「解除位置」（図９参照）から「挟持位置」（図１０参照）に向かってコネクタ後方側に押し倒す回動操作が行われる際に、押圧カム部１３ａの回転半径が、固定ロックビーム１４ｂと可動ロックビーム１４ａとの間において増大する方向に変化し、その押圧カム部１３ａの径変化に従って可動ロックビーム１４ａのコネクタ後端側に設けられたカム受け部１４ａ１が図示上方側に持ち上げられるように変位し、それに伴って、コネクタ前端側に設けられた係止ロック部１４ｄが下方に押し下げられて、当該係止ロック部１４ｄが信号伝送媒体Ｆの係合位置決め部Ｆａの内部に向かって落ち込むように下方移動する。
【００４７】
このときの係止ロック部１４ｄは、信号伝送媒体（ＦＰＣ又はＦＦＣ等）Ｆに設けられた係合位置決め部Ｆａに対して完全に係合された状態になされていないが、後述するように印刷配線基板Ｂに対して、製品筐体または他の基板からなる製品筐体等Ｃが組み付けられることによって、係止ロック部１４ｄが更に下降し、係合位置決め部Ｆａに対して十分な係合状態（ロック状態）となる位置、すなわち信号伝送媒体Ｆの抜止めを行う位置まで係止ロック部１４ｄが移行されるようになっている。
【００４８】
その点を具体的に説明すると、上述したロック部材１４が設けられている可動ロックビーム１４ａには、係止ロック部１４ｄの上方位置に相当する部位にグランド接触片１４ｆが一体的に設けられている。そのグランド接触片１４ｆは、可動ロックビーム１４ａの前方側（図３の左方側）の途中位置から、斜め上方に向かって二股状に分岐するように延出しており、絶縁ハウジング１１の上表面から更に上側外方に向かって略山形状をなして突出する構成になされている。そのグランド接触片１４ｆは、後述する製品筐体または他の基板の組付けが行われていない未組立状態にある電気コネクタ１０の単体（図９及び図１０参照）において、当該グランド接触片１４ｆの山形状頂部が絶縁ハウジング１１の上側表面から、上述した実施形態よりも大きく上方に突出して外方に露出する構成になされている。そして、このグランド接触片１４ｆの頂部には、グランド接点部１４ｆ１が形成されており、当該グランド接点部１４ｆ１が、後述する製品筐体または他の基板に形成されたグランド配線部に対して接触可能となる構成になされている。
【００４９】
そして、印刷配線基板Ｂの上方に対向配置されるようにして製品筐体または他の基板からなる製品筐体等Ｃの組付けが行われ、製品筐体等Ｃが、下方の電気コネクタ１０に向かって押し付けられるように組付けが開始されると、当該製品筐体等Ｃに設けられたグランド配線部（図示省略）が、上述したグランド接触片１４ｆのグランド接点部１４ｆ１に対して上方側から当接する構成になされている。そのようなグランド接触片１４ｆと接触した状態で製品筐体等Ｃが下方に押し下げられていくと、それに伴って、上述した係止ロック部１４ｄも可動ロックビーム１４ａの弾性に抗して下降していくこととなる。図１１に示されているように、製品筐体等Ｃが完全に押し下げられて最終的な組付けが完了されると、信号伝送媒体（ＦＰＣ又はＦＦＣ等）Ｆに設けられた係合位置決め部Ｆａの内部に、係止ロック部１４ｄが完全に没入し、係合状態となる位置、つまり信号伝送媒体Ｆの抜止めを行う位置まで係止ロック部１４ｄが下方に移動することとなる。
【００５０】
なお、アクチュエータ１３が、「解除位置」から「挟持位置」に回動操作されることにより、係止ロック部１４ｄが信号伝送媒体Ｆの係合位置決め部Ｆａに対して完全に係合された状態になされるようにしてもよい。この場合、アクチュエータ１３が回動操作されることにより信号伝送媒体Ｆの抜止めがなされるが、製品筐体等Ｃの組付けが行われることによって係止ロック部１４ｄの係合状態が更に確実に行われることとなり、ロック部材による信号伝送媒体Ｆの抜止めがより一層強固に行われる。
【００５１】
このような構成を有する本実施形態によれば、アクチュエータ１３を回動操作した後に製品筐体等Ｃが組付けが行われることによって、ロック部材１４が信号伝送媒体（ＦＰＣ又はＦＦＣ等）Ｆの抜止めを行う方向に更に移動されることとなり、当該ロック部材１４による信号伝送媒体Ｆの係止作用が一層、高められる。
【００５２】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５３】
例えば、上述した各実施形態では、電気コネクタに固定される信号伝送媒体として、フレキシブル・プリンテッド・サーキット（ＦＰＣ）、及びフレキシブル・フラット・ケーブル（ＦＦＣ）を採用しているが、その他の信号伝送用媒体等を用いた場合に対しても本発明は同様に適用することができる。
【００５４】
また、上述した実施形態にかかるアクチュエータは、絶縁ハウジングの後端部分に配置されたものであるが、前端側部分にアクチュエータが配置された電気コネクタや、前端側部分と後端側部分との間部分にアクチュエータが配置された電気コネクタに対しても、本発明は同様に適用することが可能である。さらに、上述した実施形態は、媒体固定操作手段として回動可能なアクチュエータを備えた電気コネクタに対して本発明を適用したものであるが、本発明は、例えばスライド状に往復移動するアクチュエータを備えた電気コネクタに対しても同様に適用することが可能である。
【００５５】
また、上述した実施形態にかかる電気コネクタは、同一形状の導電コンタクトを用いたものであるが、形状が異なる導電コンタクトを用いたものであっても本発明は同様に適用することが可能である。
【産業上の利用可能性】
【００５６】
本発明は、各種電気機器に使用する多種多様な電気コネクタに対して広く適用することが可能である。
【符号の説明】
【００５７】
１０  電気コネクタ
１１  絶縁ハウジング（インシュレータ）
１１ａ  媒体挿入口
１１ｂ  部品取付口
１２  導電コンタクト
１２ａ  可動コンタクトビーム
１２ａ１  端子接触凸部（接点部）
１２ｂ  固定コンタクトビーム
１２ｂ１  基板接続端子部
１２ｂ２  カム受け部
１２ｃ  連結支柱部
１３  アクチュエータ（媒体固定操作手段）
１３ａ  押圧カム部
１３ｂ  回動操作部
１４  ロック部材
１４ａ  可動ロックビーム
１４ｂ  固定ロックビーム
１４ｃ  連結支柱部
１４ｄ  係止ロック部
１４ｄ１  傾斜案内辺
１４ｅ  グランド接触片
１４ｅ１  グランド接点部
１４ａ１  カム受け部
１４ｂ２  カム受け部
１４ｆ  グランド接触片
１４ｆ１  グランド接点部
Ｆ  信号伝送媒体（ＦＰＣ又はＦＦＣ等）
Ｆａ  係合位置決め部
Ｂ  印刷配線基板
Ｃ  製品筐体等（製品筐体または他の基板）
【図１】
2013134870.tif 000003
【図２】
2013134870.tif 000004
【図３】
2013134870.tif 000005
【図４】
2013134870.tif 000006
【図５】
2013134870.tif 000007
【図６】
2013134870.tif 000008
【図７】
2013134870.tif 000009
【図８】
2013134870.tif 000010
【図９】
2013134870.tif 000011
【図１０】
2013134870.tif 000012
【図１１】
2013134870.tif 000013
【図１２】
2013134870.tif 000014
【図１３】
2013134870.tif 000015
【図１４】
2013134870.tif 000016